Podtech/llm-jp-corpus-v4-ja_patent huggingface dataset:
(57)【要約】      （修正有）【課題】高齢者の外出時や車による家族の遠距離ドライブなどのとき、高速道路上での渋滞や行楽地、釣りやキャンプ、とくに、災害時に簡単かつ、安全に、排便、排尿ができ、コンパクトに携帯でき、しかも、取り扱いが簡便な携帯簡易トイレを提供する。【解決手段】携帯トイレ本体１に袋体２を設け、袋体２の開口部に体部との接触部３を設け、体部との接触部３に切欠部４を設け、袋体２の内側に排泄物などの案内壁５を設け、排泄物などの案内壁５のやや中央に排泄物（例．尿）が落下する排泄物落下口６を設け、袋体２の底部に吸水剤８と排泄物収納部９を設ける。【選択図】図３
0003174383.tif 000002
【実用新案登録請求の範囲】
【請求項１】
携帯トイレ本体（１）に袋体（２）を設け、袋体（２）の開口部に体部との接触部（３）を設け、体部との接触部（３）に切欠部（４）を設け、袋体（２）の内側に排泄物などの案内壁（５）を設け、排泄物などの案内壁（５）のやや中央に排泄物（例．尿）が落下する排泄物落下口（６）を設け、袋体（２）の底部に吸水剤（８）と排泄物収納部（９）を設ける。
【考案の詳細な説明】
【技術分野】
【０００１】  本考案の携帯簡易トイレは、たとえば、高齢者の外出時や車による家族の遠距離ドライブなどのとき、高速道路上での渋滞や行楽地、釣りやキャンプ、とくに、災害時には、避難所などでの仮設トイレは、設置に時間がかかるが、そんなときにも、簡単に、安全に、排便、排尿ができる携帯簡易トイレで、子供も、大人も、我慢できないときに、簡易なトイレとして使用することができる、コンパクトに携帯でき、しかも、取り扱いが簡便な携帯簡易トイレに関するものである。
【背景技術】
【０００２】  携帯簡易トイレの一例としては、箱型の便座と着脱自在の便袋となる簡易便器が開発されている。
従来より、高齢者の外出や家族の長距離ドライブのときに携帯し、尿意をもよおしたときに、どこでも簡便に使うことができる、ビニール袋や紙製のコンパクトな携帯トイレが提供されている。
【先行技術文献】
【特許文献】
【０００３】
【特許文献１】  特開２００２−７８６４２号公報
【特許文献２】  特開２００８−２８９８４８号公報
【考案の概要】
【考案が解決しようとする課題】
【０００４】  そのため次のような問題点があった。
これまで、いろいろな形の携帯トイレが開発されているが、排尿のみを対象にしたものが多かった。
男性の場合は、十分対応できるが、女性の場合は、形が小さ過ぎるため、用を足す際は収納口を的確に局部に押し当てる必要があった。
とくに、用を足すときは、非常時でもあり、また、場所も落ち着いて使えるところだけとは限らないので、使うときに尿が袋の外に漏れてしまうことがあった。
【課題を解決するための手段】
【０００５】  携帯トイレ本体（１）に袋体（２）を設け、袋体（２）の開口部に体部との接触部（３）を設け、体部との接触部（３）に切欠部（４）を設け、袋体（２）の内側に排泄物などの案内壁（５）を設け、排泄物などの案内壁（５）のやや中央に排泄物（例．尿）が落下する排泄物落下口（６）を設け、袋体（２）の底部に吸水剤（８）と排泄物収納部（９）を設ける。
以上のように構成された携帯簡易トイレ。
【考案の効果】
【０００６】  使うときには、たとえ、走行する自動車やバスの中はもとより、慣れない旅先などいずれの場所であってもスピーデーに使うことができる。
女性でも、少々姿勢が偏ったままで使っても尿を外部に漏らす心配がない。
高齢者でも、簡単に使える。
機能的で、シンプルな構成なので、安価で、広く提供できる。
使いやすい携帯簡易トイレである。
【図面の簡単な説明】
【０００７】
【図１】  本考案の正面図である。
【図２】  本考案の切欠部を折り返した状態を示した説明図である。
【図３】  本考案の内側の構造を示した説明図である。
【図４】  本考案の内側の構造を示した説明図である。
【図５】  本考案の使用状態を示した説明図である。
【考案を実施するための形態】
【０００８】  以下、本考案の実施に形態について説明する。
携帯トイレ本体（１）に袋体（２）を設ける。
袋体（２）の開口部に体部との接触部（３）を設ける。
体部との接触部（３）に切欠部（４）を設ける。
袋体（２）の内側に排泄物などの案内壁（５）を設ける。
排泄物などの案内壁（５）のやや中央に排泄物（例．尿）が落下する排泄物落下口（６）を設ける。
袋体（２）の底部に吸水剤（８）と排泄物収納部（９）を設ける。
以上のように構成された手荷物の携帯具。
以上のように構造は簡単で、だれでも、安心して使うことができる。
本考案の携帯簡易トイレは、それらの手間が要らないので時間と費用の節約になる。
排泄物収納部（９）に吸水剤（８）に吸収された排泄物（１０）である。
吸水剤（８）が水分を吸収してふくらむ。
本考案を逆にしても、袋体（２）の内側に排泄物などの案内壁（５）を設けているので、排泄物（１０）は落下しない。
従来品は、逆にすると落下してしまう。
【符号の説明】
【０００９】１  携帯トイレ本体
２  袋体
３  体部との接触部
４  切欠部
５  排泄物などの案内壁
６  排泄物落下口
７  排泄物（例．尿）
８  吸水剤
９  排泄物収納部
１０  排泄物
【図１】
0003174383.tif 000003
【図２】
0003174383.tif 000004
【図３】
0003174383.tif 000005
【図４】
0003174383.tif 000006
【図５】
0003174383.tif 000007
【手続補正書】
【提出日】平成23年12月2日(2011.12.2)
【手続補正１】
【補正対象書類名】実用新案登録請求の範囲
【補正対象項目名】全文
【補正方法】変更
【補正の内容】
【実用新案登録請求の範囲】
【請求項１】
袋の下部を半球状にした袋体（２）の上部に人の体部の一部（女性器）に当てやすいように接触部（３）を設けた携帯トイレ本体（１）で、
接触部（３）の前方に、小さなＶ字状の切欠部（４）を設け、
袋体（２）の内側に排泄物の尿などを袋のやや中央に集まるように案内する傾斜した案内壁（５）を設け、
案内壁（５）にそって排泄物の尿などをやや中央に集め、排泄物の尿などが落下する排泄物落下口（６）を設け、
袋体（２）の内部の底部に吸水剤（８）と排泄物収納部（９）を設け、
以上のように構成された携帯簡易トイレ。
(57)【要約】      （修正有）【課題】個人家庭の美しいブロック塀又は事業所の入り口処の塀に埋込む美的感覚の飾り箱を提供する。【解決手段】全面が開口である薄鈑の函体Ａであり、アクリル板Ｃを挿入するに前面の一側面を切欠し、且つアクリル板が通行する案内溝の後方の上面及び下面に側壁形鋼を長手方向に固着してなる。前記函体開口より大である表鈑の、中側に開口より小である表面鈑Ｂを長手方向に固着してなる。この様に構成した飾り箱の中に、美石を敷き、装飾岩を置きドライフラワー等にて内装をなす。かつ、動物の置物等でデザインする事が出来る。これにより、無感の塀に快よい感動を興すことが出来る。【選択図】図２
0003174386.tif 000002
【実用新案登録請求の範囲】
【請求項１】
0003174386.tif 000004
挿入するに前面の一側面を切欠し、且つアクリル板が通行する案内溝の後方の上面及び下面に側壁形鋼を長手方向に固着し、これに函体開口より大である表鈑の中側に開口より小である表面鈑の背面適応処を溶接固着してなる塀に埋込む飾り箱。
【考案の詳細な説明】
【技術分野】
【０００１】  本考案は、個人家庭の美しいブロック塀又は事業所の入り口処の塀に於いて美的感覚の飾り箱を得る事に関するものである。
【背景技術】
【０００２】  現在、塀に孔空間を設け、函体を設置なし、そこに美くしい飾り人形または置物等を置いていたが、函内外の空気の温度差および湿度によりアクリル板が曇る事になり内部に置いた置物が霞んで観える事がある。【０００３】  引戸となるアクリル板が軽快なる動作を求める、に足る事を求める。【０００４】  塀全体の美的感覚を求めるに、ワンポイントアクセサリーとなる飾り箱を設置する事により塀の品位を高める。
【考案の概要】
【考案が解決しようとする課題】
【０００５】  現在ある全般の塀は、各自の防犯を主体としたものであり、郵便等の利便性の考えに基いているが、これに美の感取を得ようとするものである。【０００６】  例えば門の近くであり人の目線高に飾り箱を取り付ける事により、安らぎを得る事を目的とする。尚、飾り箱内に風物置物を飾る事により考案の目的を達する。
【課題を解決するための手段】
【０００７】
0003174386.tif 000003
を挿入するに前面の一側面を切欠してなる。且つアクリル板が通行する案内溝の後方の上面及び下面に側壁形鋼を長手方向に固着してなる。【０００８】  前記函体開口より大である表鈑の、中側に開口より小である表面鈑を溶接固着する。【０００９】  函体側面に空気孔を設けてなる。
【考案の効果】
【００１０】  上述の様に本考案飾り箱は構成されている故に、ブロック塀等の穿孔に挿入し取り付ける事が出来る。
【図面の簡単な説明】
【００１１】
【図１】塀に埋込む飾り箱の分解斜視図。
【図２】アクリル板が通行できる一体溶接した図。
【図３】ブロック塀に取り付けた飾り箱の図。
【考案を実施するための形態】
【００１２】  通常、函体は肉厚２ＭＭで高さ１７５ＭＭ・巾３６０ＭＭ・奥行き２３０ＭＭで構成なし、前面方の一側面を３ＭＭ上下に切欠する。及び反対側面に空気孔を設ける。
開口より奥３ＭＭの位置に側壁形鋼を長手方向に固着する。前記函体開口前面に長さ４３０ＭＭで高さ２４０ＭＭの肉厚２ＭＭの表鈑の中央側に長さ３４０ＭＭ・高さ１５０ＭＭの開口を設けてなる表面鈑の背面を適応に溶接固着する。溶接固着により、紐孔を有するアクリル板（高さ１７０ＭＭ・長さ３６０ＭＭ）を挿入するも、これが通行する案内溝を形成なる。
【実施例】
【００１３】  以下、添付図面に従って一実施を説明する。
前面が開口した函体Ａの前方面１よりも小である開口２を有するも、前方面より大で構成される表面鈑Ｂの背面を函体の適応処に溶接３固着する。函体の前方一側面を上下に切欠４なし、且つ側壁形鋼５１・５２を長手方向に固着する。
之れは、紐孔６を有する透明のアクリル板Ｃが通孔７なし案内溝８となる。【００１４】なお、本考案塀に埋込む飾り箱をブロック塀９の適当処に挿入固着なし、内部に装飾品を内装なしアクリル板にて蓋１０をする。【００１５】  蓋をする故に空気孔１１を前方逆側面１２に設ける。
【符号の説明】  Ａ  函体
Ｂ  表面鈑
Ｃ  アクリル板
１  前方面
２  開口
３  溶接
４  切欠
５  側壁形鋼
６  紐孔
７  通孔
８  案内溝
９  ブロック塀
１０  蓋
１１  空気孔
１２  前方逆側面
【図１】
0003174386.tif 000005
【図２】
0003174386.tif 000006
【図３】
0003174386.tif 000007
【手続補正書】
【提出日】平成23年12月26日(2011.12.26)
【手続補正１】
【補正対象書類名】実用新案登録請求の範囲
【補正対象項目名】全文
【補正方法】変更
【補正の内容】
【実用新案登録請求の範囲】
【請求項１】
アクリル板が通行するに、内部前方に側壁形鋼を上下長手方向に固着してなる函体の一側面を切欠し、これに函体開口より大である鈑に、函体開口より小である開口を有してなる表鈑を、函体開口部に溶接固着して案内溝を設けた塀に埋込む飾り箱。
(57)【要約】      （修正有）【課題】ギターや三味線等に使用するピックをストラップやペンダント等にも使用できるピックとして提供する。【解決手段】弾奏部分２とグリップ部分３を有するピック１であり、所定のデザインが施された表面４と、上辺６から所定の位置に設けられた穴５とを有することを特徴とする。穴５を使用して携帯電話のストラップや、鞄等に付けるアクセサリー、ネックレスやペンダント等として使用でき、デザイン性の優れた装飾品として使用することができる。【選択図】図１
0003174353.tif 000002
【実用新案登録請求の範囲】
【請求項１】
弾奏部分とグリップ部分を有するピックであり、
所定のデザインが施された表面部と、
上辺から所定の位置に設けられた穴と、
を有することを特徴とするピック。
【請求項２】
前記穴にはストラップの紐、又は鎖が嵌入することを特徴とする請求項１に記載のピック。
【請求項３】
前記穴にはネックレス、又はペンダントの紐、又は鎖が嵌入することを特徴とする請求項１に記載のピック。
【考案の詳細な説明】
【技術分野】
【０００１】
本考案は、ギターや三線等に使用するピックに関する。
【背景技術】
【０００２】
従来から、ギターや、三線、カンカラ三線等の楽器は指で演奏する場合の他に、キレの良い鋭角的で音色や音質を確保するためピック（弾爪あるいは義甲）を使用して演奏することも行なわれている。例えば、アコースティックギターやエレクトリックギター等の別を問わず、ピックによる演奏が広く行われている。
【０００３】
尚、特許文献１は、ピックの山の一角に有る山頂の数を二個以上の複数で構成し、例えば山頂の数が三個以上のとき、一角にある複数の山頂の間隔を等間隔とし、又は一角にある複数の山頂の間隔を不等間隔とし、装飾音を容易に演奏できるようにする発明である。
【先行技術文献】
【特許文献】
【０００４】
【特許文献１】特開２００３−１６７５７３号公報
【考案の概要】
【考案が解決しようとする課題】
【０００５】
しかしながら、上記特許文献１に開示するピックは、ギターや三線等において、装飾音を容易に演奏できるようにするものであり、ピックをストラップやペンダント等の装飾品に使用する提案ではない。
【０００６】
そこで、本考案はギターや三味線等に使用するピックをストラップやペンダント等に使用する穴あきピックを考案するものである。
【課題を解決するための手段】
【０００７】
上記課題は第１の考案によれば、弾奏部分とグリップ部分を有するピックであり、所定のデザインが施された表面部と、上辺から所定の位置に設けられた穴とを有するピックを提供することによって達成できる。
【０００８】
また、上記課題は第２の考案によれば、前記穴にストラップの紐、又は鎖を嵌入できるピックを提供することによって達成できる。
【０００９】
また、上記課題は第３の考案によれば、前記穴にネックレス、又はペンダントの紐、又は鎖を嵌入できるピックを提供することによって達成できる。
【考案の効果】
【００１０】
本考案によれば、絵柄等のデザインが施されたピックを使用し、ストラップや、ペンダント等のアクセサリーとして使用することができる。
【図面の簡単な説明】
【００１１】
【図１】本考案のピックの外観図である。
【図２】本考案の変形例のピックの外観図である。
【考案を実施するための形態】
【００１２】
以下、本考案の実施の形態について、図面を参照しながら説明する。
図１は、本考案のピックの外観図である。ピック１は、例えばセルロイド、アクリル樹脂、ポリカーボネート樹脂、塩化ビニル樹脂、ナイロン樹脂等の合成樹脂や、銅、真鍮、アルミニウム等の金属、べっこう等の天然素材、その他の若干の弾力性を有する素材で構成されている。また、通常、略三角形偏平形状の１枚の板状小片で構成され、弦の演奏に使用される弾奏部分２と、この弾奏部分２に隣接し親指と人指し指との間で挟持するグリップ部分３で構成されている。
【００１３】
また、ピック１の表面４には、例えばハイビスカスや、シーサ、豚等の絵柄が印刷されており、アクセサリーやペンダントとしても使用可能である。このため、本例のピック１には穴５が設けられている。この穴５の形成位置は、上記グリップ部分３の上部であり、例えばピック１の上辺６から１，５〜２，０ｍｍの位置に設けられている。また、穴５の大きさは、例えば２，５ｍｍ又は３，５ｍｍに形成されている。
【００１４】
この穴５には、本例のピック１をアクセサリーとして使用する場合に必要となるストラップや鎖が取り付けられる。例えば、携帯電話に取り付けるストラップや、鞄等に取り付けるアクセサリーとして使用する。また、人の首にかけるネックレスやペンダントとして使用し、更に犬や猫等のペットの首にかけるペンダントとしても使用することができる。
【００１５】
以上のように、本例のピック１には前述のように、ハイビスカスや、シーサ、豚等の絵柄がデザインされており、穴５を使用して携帯電話のストラップや、鞄等に付けるアクセサリー、ネックレスやペンダント等として使用でき、デザイン性の優れた装飾品として使用することができる。
【００１６】
したがって、例えば本例の穴あきピック１をストラップ用の紐や鎖と共に販売することによって、より効果的に利用することができる。また、一般のアクセサリーに比べて安価に購入することができる。
【００１７】
尚、図２は本実施形態のピックの変形例を示す図であり、前述のピック１とは形状の異なるピック７の例を示す。この場合も形状は異なるが、ピック７は例えばセルロイドやアクリル樹脂等の素材で構成され、弦の演奏に使用される弾奏部分８と、この弾奏部分８に隣接し親指と人指し指との間で挟持するグリップ部分９で構成されている。
【００１８】
また、ピック７の表面１０には、前述と同様ハイビスカスや、シーサ等のデザインが施され、アクセサリーやペンダントとして使用できる。このため、本例のピック７にも穴１１が設けられており、例えばピック７の上辺１２から１，５〜２，０ｍｍの位置に穴１１が設けられている。この穴１１には、ピック７をアクセサリーとして使用する場合に必要となるストラップやペンダントの紐や鎖が取り付けられる。
【００１９】
したがって、本例の穴あきピック７をストラップ用の紐や鎖と共に販売することによって、より効果的に利用することができる。尚、本実施形態の説明において、形状の異なるピック１及び７について説明したが、本発明は、更に形状の異なるピックについても同様に適用することができる。
【符号の説明】
【００２０】
１・・・ピック
２・・・弾奏部分
３・・・グリップ部分
４・・・表面
５・・・穴
６・・・上辺
７・・・ピック
８・・・弾奏部分
９・・・グリップ部分
１０・・表面
１１・・穴
１２・・上辺
【図１】
0003174353.tif 000003
【図２】
0003174353.tif 000004
(57)【要約】      （修正有）【課題】高強度のスーツケースフレーム構造を提供する。【解決手段】スーツケースを構成する２つのボックスの相互に合わされる開口部を形成する上下フレームにおいて、下フレーム１２に上フレーム２１に嵌合する嵌合枠２３を一体成形により設けると共に下フレーム内周面に沿って一体成形した凸状２４を平行に複数設ける。上記上下フレームの嵌合構造によりスーツケースを閉じたときの密閉性と位置決め性が向上し、凸条によりフレーム部の強度が向上してぶつけた際に変形しにくい。【選択図】図３
0003174352.tif 000002
【実用新案登録請求の範囲】
【請求項１】
スーツケースを構成する2つのボックスの相互に合わされる開口部を形成する上下フレームにおいて、下フレームに上フレームに嵌合する嵌合枠を一体成形により設けると共に下フレーム内周面に沿って一体成形した凸状を平行に複数設けて強度を向上した、ことを特徴とする高強度のスーツケースフレーム構造。
【請求項２】
前記下フレームの嵌合枠の嵌合構造が、該嵌合枠の上縁に一体成形されて外周縁を形成する嵌合条と上フレームを嵌合する嵌合溝とからなり、上フレームを蓋合する際に嵌合条と嵌合溝は上フレームと嵌合し、密着した定位効果が得られることを特徴とする請求項１記載の高強度のスーツケースフレーム構造。
【考案の詳細な説明】
【技術分野】
【０００１】
本考案は、高強度のスーツケースフレーム構造に関し、スーツケースのフレームが耐えられる強度を高め、ぶつけた際に窪んで変形しにくい高強度のスーツケースフレーム構造に関する。
【背景技術】
【０００２】
従来技術のスーツケースフレーム構造は、およそ図１及び図２に示すように、二つの蓋合するボックス１０、１０にそれぞれ上フレーム１１、下フレーム１２を設け、下フレーム１２には一体成形の嵌合枠１３を設け、フレームを蓋合する際に、該嵌合枠１３は上フレーム１１と嵌合して一体となる。前記構造により、下記の欠点が存在する：(１)上下フレーム１１、１２及び嵌合枠１３の材質はアルミであり、耐えられる強度が弱いため、落したり、ぶつけると彎曲変形しやすい。従来技術では一つの補強シート１４を付加して補強し、該補強シート１４と嵌合枠１３をリベットで組み合わせるが(図１及び図２を参照)、該補強シート１４は必然的に材料及び製造時のコストアップに繋がる。(2)蓋合する際、上フレーム１１と嵌合枠１３の密着度が悪いことを鑑みて、更なる改善が必要であった。
【先行技術文献】
【特許文献】
【０００３】
【特許文献１】特開平９−３０８５１５号公報
【考案の概要】
【考案が解決しようとする課題】
【０００４】
前記従来技術の欠点を解決するため、本考案は補強効果が得られる凸条を設けて変形しにくくし、また嵌合条及び嵌合溝を設けることで、好適な密着度と定位効果を提供することを主な課題とする。
【課題を解決するための手段】
【０００５】
前記課題を解決するために、本考案は高強度のスーツケースフレーム構造を提供するものである。本考案は二つの主な技術及び目的を具有する。(１)下フレームの嵌合枠に一体成形した数本の凸条を設け、該凸条により補強効果が得られることで、それによって嵌合枠の強度が大いに向上して、ぶつけた際に変形しにくい。(２)嵌合枠の上縁に嵌合条及び嵌合溝を設け、上フレームと蓋合する際は、嵌合条と嵌合溝により、好適な密着度及び定位効果が得られる。
【考案の効果】
【０００６】
本考案は嵌合枠に形成する凸条により補強効果が高くなり、形成する嵌合条及び嵌合溝により、上フレームと蓋合する際に優れた密着度及び定位効果が得られる。
【図面の簡単な説明】
【０００７】
【図１】従来技術を開けた状態の断面図である。
【図２】従来技術を蓋合した状態の断面図である。
【図３】本考案を開けた状態の断面図である。
【図４】本考案を蓋合した状態の断面図である。
【考案を実施するための形態】
【０００８】
図３及び図４に示すように、二つの蓋合できるボックス２０はそれぞれ上フレーム２１、下フレーム２２を設け、下フレーム２２は一体成形の嵌合枠２３を具有し、上フレーム２１と蓋合する際に嵌合する。該嵌合枠２３の表面に一体成形した数本の凸条２４を設け、嵌合枠２３の上縁に一体成形の嵌合条２５、嵌合溝２６を設ける。
【０００９】
前記構造により、下記の効果とメリットを具有する：
(１)  図３及び図４に示すように、嵌合枠２３に一体成形の凸条２４を数本設けることで、補強効果を具有し、大いに嵌合枠２３の強度が向上する。よって、ぶつけた際に彎曲変形しにくい。また、凸条２４は嵌合枠２３と一体成形しているため、製造プロセスも製造コストも増えない。
【００１０】
(２)図４に示すように、蓋合したとき、上フレーム２１は嵌合条２５と嵌合溝２６に嵌合して位置決めされるため、より優れた密着度と定位効果が得られる。
【００１１】
(３)本考案は別途補強シートを設ける必要がなく、フレームの重さを軽くすることになる。嵌合条２５、嵌合溝２６、延伸部分２７を設けることで、補強シートの構造を形成し、フレーム本体と一体になるため、補強作用を具有する。また、フレームのそれぞれ反対側にある二つの「F」の字状のこれらの上フレーム２１と嵌合条２５、嵌合溝２６が互いに引っ張り合うため、従来の密着効果より優れる。
【符号の説明】
【００１２】
１０、２０  ボックス本体
１１、２１  上フレーム
１２、２２  下フレーム
１３、２３  嵌合枠
１４  補強シート
２４  凸条
２５  嵌合条
２６  嵌合溝
２７  延伸部分
【図１】
0003174352.tif 000003
【図２】
0003174352.tif 000004
【図３】
0003174352.tif 000005
【図４】
0003174352.tif 000006
(57)【要約】      （修正有） 【課題】アンダーパスの冠水を検知する為の静電容量式冠水検出センサでは、大量の雨が降った場合に冠水検出センサの電極表面に雨水が流れ込み水位の誤検出が発生することがある。雨水のセンサ電極付近の流れを無くして誤検出を防止する冠水検出センサを提供する。【解決手段】下向きに保持した冠水センサ１の外側に空気溜り部４を作る為に上部が閉じたカバーを設ける構造とし、またカバーの下端に溝又は穴を設ける構造とする。【選択図】図１
0003174859.tif 000002
【実用新案登録請求の範囲】
【請求項１】
冠水検出センサとして下向きに保持したセンサの外側に上部が密閉した下向きのカバーを設けたことを特徴とした冠水検出センサ
【請求項２】
カバーの下端に溝又は穴を設ける事を特徴とする請求項１記載の冠水検出センサ
【考案の詳細な説明】
【技術分野】
【０００１】
屋外で直接に雨水が掛る場所に設置される冠水検出センサに関する。
【背景技術】
【０００２】
立体交差で掘り下げ式になっている下の道路(以降はアンダーパスとする)における、従来の冠水感知は、超音波送波と超音波受波器を有する超音波センサで道路上の冠水水位を非接触で検知する方法や、電極と電極間に微小な電流が流れたら水位を検知する方式、電極式の静電容量センサを使用する方式などが有る。
その中の、静電容量式冠水検出センサ内部構造の一例では、図２に示すようには円筒ケース１３の中に電極２があり、シールド２０を置くことにより、電極２下部に接する水と空気の比誘電率の差を使って静電容量の変化だけで水を検出している。
【先行技術文献】
【特許文献】
【０００３】
【特許文献１】特開２０１１−１５３８４２号公報
【考案の概要】
【考案が解決しようとする課題】
【０００４】
このような構造のため、屋外等に設置した場合、図３に示すように冠水検出センサに大量の雨水が直接掛かり、雨水の流れ９がセンサ検出電極表面２に流れ込み水位が上昇した場合と同等になり、水位の誤検出が発生する。（図３参照）
本考案はこのような問題点を解決する為になされたものであり、雨水の電極付近への流れ込みを防止し、誤検出を防止することにある。
【課題を解決するための手段】
【０００５】
冠水検出センサとして下向きに保持したセンサの外側に空気溜めを作る為に上部が閉じたカバーを設ける構造とする。
【０００６】
また、上記の冠水検出センサにおいて、カバーの下端に溝又は穴を設ける構造とする。
【０００７】
具体的には冠水センサ電極表面２に雨水の流れを流さない為、上部が閉じたカバー８を取り付ける。カバーは金属又はプラスチックであれば何でもよい。冠水検出センサは外径１０〜２０ｍｍ程度のものを使用することが出来る。カバーの外径は冠水検出センサの外径より大きい必要があり、２５〜５０ｍｍが好ましい。カバー８にはカバー端面からセンサ検出電極表面２より上側まで空気抜き用溝加工３を行う構造とする。空気抜き用溝加工３の幅寸法は異物が引っ掛かり憎い大きさであるのが好ましく、４〜６ｍｍが好ましい。カバーの溝加工の底面も丸みをつけ、空気抜き加工部に異物が引っ掛る事を防止している事が好ましい。カバー下部の垂直位置は冠水検出センサの垂直位置より０〜５０ｍｍであることが好ましく、より好ましくは１０〜２０ｍｍである。
【０００８】
この加工に依ってセンサ検出電極表面はカバー下端と空気抜き用溝の間にセット出来るので、上からの雨水はカバーの外側を流れ、また、横からの雨水もセンサには直接は掛らず、誤検出を防止出来る。
【０００９】
カバー下端に設けられた空気抜き溝３の構造は、センサ検出電極表面より少し上までの加工とする事でカバーの空気抜き用溝より上側に空気溜り４を残す構造とする。この空気溜りが水位上昇の際、カバー内に空気の閉じ込め現象を発生させ、空気抜き用溝以上に水と共にゴミや泥の進入を防止し、耐久性の向上と検出の確実性が向上し、屋外に設置されても確実に冠水状態を検知出来る。
アンダーパス用に限らず、地下空間の浸水検出や、他の用途に使用する冠水検出センサにも有効である。
【考案の効果】
【００１０】
冠水センサに大量の雨水が掛っても、雨水はカバーを伝わって、カバーの外側を流れる為、センサ検出電極表面に水は達しない、又横からの雨水が掛ってもセンサ検出電極表面はカバー端面より上にセットされているので、センサ検出電極表面２には達しない、センサ検出電極表面２に下側からの水位１１が接触した時だけ検出動作が正しく行われ、誤検出は起こらない。
【００１１】
カバーの空気抜き用溝より上には、上昇した水が空気を閉じ込め、空気溜りが出来るので、ゴミや泥が内部には進入せず、カバー内部がきれいに保たれ、耐久性の向上と検出の確実性が向上し、屋外に設置されても確実に冠水状態を検知出来る。
【図面の簡単な説明】
【００１２】
【図１】冠水センサカバー取付け状態図
【図２】静電容量式冠水センサ内部構造図
【図３】冠水センサカバーなし状態図
【産業上の利用可能性】
【００１３】
屋外に設置される冠水センサ１には直接に雨水が掛る場合が有り、その水量や勢いによって、センサが検知してしまう場合が多い、この考案により大量の雨量からセンサ検出電極面２に直接雨水が掛る事で発生するご検出を防止し、空気抜き用溝によってセンサ検出電極面２をカバー下端とカバー上部の空気抜き用溝の間にセットすれば、センサ検出電極面の空気閉じ込めは発生せず誤検出は発生しない。またカバーに設けられた空気抜き用溝より上の、空気溜り部で上昇した水が、空気を閉じ込めて、空気抜き用溝より上へ、水と一緒に進入するゴミや泥の進入を防止出来るのでカバー内部がきれいに保たれ、耐久性の向上と検出の確実性が向上し、産業上の利用の可能性は極めて高い。
【符号の説明】
【００１４】
１  冠水センサ
２  センサ検出電極面
３  センサ空気抜き用溝
４  空気溜り部
５  センサ固定用金具
６  電線
７  カバーテーパー部
８  センサカバー
９  雨水の流れ
１０  水面１
１１  水面２
１２  カバー底面
１３  センサ固定用ネジ
２０  シールド電極
【図１】
0003174859.tif 000003
【図２】
0003174859.tif 000004
【図３】
0003174859.tif 000005
(57)【要約】      （修正有）【課題】使用が簡単でしかも安全に取付け易く、バネのある基部のつまみを指先で挟んで、針を起こし取付け場所に差し込んで、手をはなせばワンタッチで着装できるピンを提供する。【解決手段】本体の一端寄りにセ−フティ・アタチメントを設け、他端寄りに基部を設け、基部にバネを介して、つまみ付きの針の先端が、開閉するように取付けた取付けピンとする。【選択図】図２
0003174823.tif 000002
【実用新案登録請求の範囲】
【請求項１】
本体の一端寄りにセ−フティ・アタチメントを設け、他端寄りに基部を設け、基部にバネを介して、つまみ付きの針の先端が、開閉するように取付けたことを特徴とする取付けピン。
【考案の詳細な説明】
【技術分野】
【０００１】
本考案は取付けピンを、より容易に取付けられる様に基部のバネにより、つまみ部分でピン先を起こし、取付け場所に差し込んで、手をはなせばワンタッチで、セット出来るピンである。
【背景技術】
【０００２】
従来の安全ピンタイプは、針先をはずして取付け部に差し込み又フックに止めるのに苦労する、へたをすると針先で指を疵つけることもあった。
【先行技術文献】
【特許文献】
【０００３】
【特許文献１】特開２００３−３３２０６号公法
【特許文献２】特開２００１−２５８６１５号公法
【考案の概要】
【考案が解決しようとする課題】
【０００４】
安全ピンタイプは取付けた後は安全であるが、取付け取り外しに意外と手間取るし、指先の不自由な人や、老人には以外とやっかいである。
【課題を解決するための手段】
【０００５】
本体（６）の一端寄りにセ−フティ・アタチメント（５）を設け、他端寄りに基部（４）設け、基部（４）にバネ（３）を介して、指のつまみ（２）付きの針（１）の先端が、開閉するように取付けたことを特徴とする取付けピンでピン先を全くさわらずに、つまみ部分のバネによって、ワンタッチで取付けが完了する、操作の簡単な構造としたものである。
【考案の効果】
【０００６】
従来の安全ピンに比較した場合、使用が簡単でしかも安全に取付け易く、バネのある基部のつまみを指先で挟んで、針を起こし取付け場所に差し込んで、手をはなせばワンタッチで着装できる。
【図面の簡単な説明】
【０００７】
【図１】本考案に係わる原型の斜視図である。
【図２】本考案品のつまみ部分を起こし針をセット出来る状態にした斜視図である。
【考案を実施するための最良の形態】
【０００８】
本考案はブロ−チやワッペンなどに利用すれば、安全ピンタイプのものより操作が簡単で、構造的にもより安全に使用できて大いに普及に貢献出来るし、針をさわることが無いために、危険性がほとんどないので利用価値が高い。
尚、二針タイプにすると、より安定した着装ができる。
【符号の説明】
【０００９】
１…針
２…指のつまみ
３…基部に組み込まれたバネの部分
４…基部
５…セーフティ・アタッチメント
６…本体
【図１】
0003174823.tif 000003
【図２】
0003174823.tif 000004
(57)【要約】      （修正有）【課題】枕やマットなど冷熱・温感商品においてメッシュ状又はハニカム状の立体構造体の緩衝シートを入れることにより、水分の蒸発を遅らせることができ、弾力性が損なわれないようにした弾性ジェルパッドを提供する。【解決手段】表面生地Ａと防止機能を備えた裏面生地Ｂを張り合わせた生地でなる袋状の中に、メッシュ状、ハニカム状、又は、立体構造体の緩衝シートＤを一つ又は複数枚重ね合わせて挿入する。その緩衝シートのメッシュ状、又はハニカム状の立体構造体の内部の隙間、又は、周辺にジェルＣを入れることにより弾性を得て、且つ、ジェルの中の水分の蒸発を遅らせるようにして弾性ジェルパッドを形成する。表面生地Ａは、例えば合成繊維生地等、裏面生地Ｂはジェルが外に漏れないように、ポリ塩化ビニール他の防水素材で構成する。【選択図】図１
0003174826.tif 000002
【実用新案登録請求の範囲】
【請求項１】
表面生地と防止機能を備えた裏面生地を張り合わせた生地でなる袋状の中に、メッシュ状、ハニカム状、又は、立体構造体の緩衝シートを一つ又は複数枚重ね合わせて挿入し、その緩衝シートのメッシュ状、又はハニカム状の立体構造体の内部の隙間、又は、周辺にジェルを入れることにより弾性を得て、且つ、ジェルの中の水分の蒸発を遅らせるようにしたことを特徴とする弾性ジェルパッド。
【考案の詳細な説明】
【技術分野】
【０００１】
【背景技術】
【０００２】ジェルを利用した枕、マット（寝具）のニーズが高くなっていて冷感、温感商品として人気が出ている。
【特許文献】
【０００３】
【特許文献１】登録実用新案第３１３８９２３号
【考案の概要】
【考案が解決しようとする課題】
【０００４】従来のジェル商品の一部には個人差にもよるが使用する際、固いものや柔らかいものがあり違和感を覚える。又、数年が過ぎるとジェルの中の水分が蒸発し弾力性が失われ一層の違和感を覚える。
【課題を解決するための手段】
【０００５】表面生地と防止機能を備えた裏面生地を張り合わせた生地でなる袋状の中に、メッシュ状、ハニカム状、又は、立体構造体の緩衝シートを一つ又は複数枚重ね合わせて挿入し、その緩衝シートのメッシュ状、又はハニカム状の立体構造体の内部の隙間、又は、周辺にジェルを入れることにより弾性を得て、且つ、ジェルの中の水分の蒸発を遅らせるようにしたことを特徴とする弾性ジェルパッド。
【考案の効果】
【０００６】メッシュ状又はハニカム状の立体構造体の緩衝シートを入れることにより、水分の蒸発を遅らせることができ、弾力性が損なわれない。
【図面の簡単な説明】
【０００７】
【図１】本考案の弾性ジェルパッドの構成
【考案を実施するための形態】
【０００８】図１は本考案の弾性ジェルパッドの構成を示す。
本考案の弾性ジェルパッドは、表面生地Ａと防水性の裏面生地Ｂを張りあわせた生地の周辺を袋状に張り合わせて密封し、その中に平たいメッシュ状又はハニカム状の立体構造体の緩衝シートＤを内封し、その緩衝シートＤのメッシュ状又はハニカム状の立体構造体のシート内部の隙間や、そのまわりにジェルＣを埋め込んだ弾性ジェルパッドである。
【０００９】表面生地Ａは、例えば合成繊維生地、天然繊維生地、合成繊維と天然繊維との混紡、交織、交編生地及び加工生地等である。
裏面生地Ｂはポリ塩化ビニール他防水素材等で構成することで、ジェルが外に漏れないようにする。
ジェルＣは温冷共用ジェル素材の場合は、水、塩化ナトリウム、グリセリン、防カビ剤等を使用し、温かくするときは電子レンジを使用し、冷たくするときは冷凍、冷蔵庫を使用する。冷たいジェル素材を使用する場合は水、高吸水性ポリマー、防カビ剤、ＣＭＣ（増粘剤）等を使用する。
緩衝材Ｄは平面状でメッシュ状又はハニカム状の立体構造体のシートで、それを一つ又は複数枚重ねあわせても良い。
【００１０】本考案の弾性ジェルパッドは、表面生地Ａと裏面生地Ｂを張り合わせてラミネートし周囲を熱溶着により袋を形成し、袋の開いた所から其の中に緩衝材Ｄを挿入するとともにジェルＣを注入し、挿入のために開けた袋の箇所を熱溶着して密封して製造する。
【００１１】以上は、本考案の弾性ジェルパッドが、表面生地Ａと防水性の裏面生地Ｂの二重の場合を述べたが、防水性の生地のみ構成してもよい。
【産業上の利用可能性】
【００１２】インテリア、リヴィング商品の枕、クッション等に幅広く利用できる。
【符号の説明】
【００１１】Ａ：表面生地
Ｂ：裏面生地
Ｃ：ジェル素材
Ｄ：緩衝シート
Ｅ：溶着部
【図１】
0003174826.tif 000003
【手続補正書】
【提出日】平成24年1月23日(2012.1.23)
【手続補正１】
【補正対象書類名】実用新案登録請求の範囲
【補正対象項目名】全文
【補正方法】変更
【補正の内容】
【実用新案登録請求の範囲】
【請求項１】
表面生地と防水機能を備えた裏面生地を張り合わせた生地でなる袋状の中に、メッシュ状、ハニカム状、又は、立体構造体の緩衝シートを一つ又は複数枚重ね合わせて挿入し、その緩衝シートのメッシュ状、又はハニカム状の立体構造体の内部の隙間、又は、周辺にジェルを入れることにより弾性を得て、且つ、ジェルの中の水分の蒸発を遅らせるようにしたことを特徴とする弾性ジェルパッド。
【手続補正２】
【補正対象書類名】明細書
【補正対象項目名】０００５
【補正方法】変更
【補正の内容】
【０００５】表面生地と防水機能を備えた裏面生地を張り合わせた生地でなる袋状の中に、メッシュ状、ハニカム状、又は、立体構造体の緩衝シートを一つ又は複数枚重ね合わせて挿入し、その緩衝シートのメッシュ状、又はハニカム状の立体構造体の内部の隙間、又は、周辺にジェルを入れることにより弾性を得て、且つ、ジェルの中の水分の蒸発を遅らせるようにしたことを特徴とする弾性ジェルパッド。
(57)【要約】      （修正有）【課題】携帯電話や携帯端末機を長時間使用する時、落とす危険や、手や腕の疲れや、見えにくい等の問題なく、安全かつ安心して使えるようにする吸盤付端末機固定具を提供する。【解決手段】２本で構成した後部接続棒３の一端に本体側吸盤２を、他端に他端側吸盤５をはめ込み、同じ２本で構成した前部接続棒４の一端に本体側吸盤２を他端に他端側吸盤５をはめ込み、上記本体側吸盤を本体の本体（大）裏側６ａに吸着させ、また、上記他端側吸盤５をテーブル面等に吸着させて、本体を傾斜させる。【選択図】図４
0003174828.tif 000002
【実用新案登録請求の範囲】
【請求項１】
２本で構成した３（後部接続棒）の一端に２（本体側吸盤）を、他端に５（他端側吸盤）をはめ込み、同じ２本で構成した４（前部接続棒）の一端に２（本体側吸盤）を他端に５（他端側吸盤）をはめ込み、上記２（本体側吸盤）を６（本体（大））の６ａ（本体（大）裏側）に吸着させ、また、上記５（他端側吸盤）をテーブル面等に吸着させて、６（本体（大））を傾斜させることを特徴とした吸盤付端末固定具。
【考案の詳細な説明】
【技術分野】
【０００１】
本考案は吸盤を使って携帯電話、及び電子図書等の端末機を机等に固定し安全かつ安心に利用できる吸盤付端末機固定具に関するものである。
【背景技術】
【０００２】
最近、端末機の利用は老若男女問わず毎日かかわっているに当たり、それが単体であるため、利用するに色々制限があり、利用できなかったり、又長時間の利用が難しかったり、落として壊してしまう恐れがある。
【先行技術文献】
【特許文献】
【０００３】
【特許文献１】特開平０２−４１９９１
【特許文献２】実登  ３１３０２４９
【考案の概要】
【考案が解決しようとする課題】
【０００４】
上述のようなものを含め従来は皆、手で持つか直に机の上において利用していた。しかし、これでは見る角度が悪いと見えにくいとか、固定してないので動く、落とす等の問題がある。
【０００５】
この考案は、上述のようなものとは違い、吸盤の大小、接続棒の長短、自在に動く球状接続部を選び、調整することや他の部品を使うことによって今までできなかった利用が安全かつ安心に出来ることを目的とする。
【課題を解決するための手段】
【０００６】
この考案の固定器は端末機と固定したい机、又はガラス平面、壁、手とを吸盤と接続棒、自在球状接続部を備えたものである。
【考案の効果】
【０００７】
この考案の吸盤付端末機固定具は吸盤と接続棒と自在球状接続部を備え、今まで携帯電話や電子図書等の携帯端末機を長時間利用する不便さや、落下の恐れや、利用しにくかった場所でも安全かつ安心して利用できるようになる。
【図面の簡単な説明】
【０００８】
【図１】この考案の実施例１の表面側斜視図。
【図２】この考案の実施例１の裏面側斜視図。
【図３】この考案の実施例２の表面側斜視図。
【図４】この考案の実施例２の裏面側斜視図。
【図５】この考案の実施例３の裏面側斜視図。
【図６】図５のＡ−Ａ断面図。
【図７】この考案の部品の正面図。
【図８】この考案の主体を構成する吸盤付接続棒の正面図。
【図９】この考案の主体を構成する吸盤付接続棒の正面図。
【考案を実施するための形態】
【０００９】
この考案の図８の２（本体側吸盤）を図１の１（本体（小））の裏面に吸着し、指を挟んで使用している所を表側から見た図。
【実施例】
【００１０】
この考案の図８の２（本体側吸盤）を、図２の１ａ（本体（小）裏側）の面に吸着し、指を挟んで使用している所を見た図。
【００１１】
この考案の図８、図９の２（本体側吸盤）を図４の６ａ（本体（大）裏側）の面に吸着し、図８、図９の５（他端側吸盤）を机等の表面に、長さの違う2本の３（後部接続棒）、４（前部接続棒）を図8と図9のように組み立てた物を使用し、傾斜をつけて見やすいようにして使用している所を見た図。
【００１２】
この考案の図８の２（本体側吸盤）を図５の６ａ（本体（大）裏側）の面に吸着し、図８の５（他端側吸盤）を窓ガラスや車のウインドーガラス等の表面に吸着し、真横、正面から６（本体（大））を見られるようにした所を見た詳細図。
【００１３】
この考案の図８の２（本体側吸盤）を図５の６ａ（本体（大）裏側）の面に吸着し、図８の５（他端側吸盤）を窓ガラスや車のウインドーガラス等の表面に吸着し、使用している所を真横から見た図。
【００１４】
携帯電話に使用する場合は、携帯電話の裏面に図８と図９の２（本体側吸盤）を吸着させ、図８と図９の５（他端側吸盤）を机、又はガラス等に吸着して使用できる。
【００１５】
この考案の図8は３ａ（後部接続棒自在球状接続部）、４ａ（前部接続棒自在球状接続部）を、一方は２ａ（本体側吸盤はめ込み部）、他方を５ａ（他端側吸盤はめ込み部）に差し込み、端末機本体と机等を結び、吸盤部分が自在に傾けられるようになっていることにより、端末機本体に傾斜がつけられる様に出来る物の正面図。
【００１６】
この考案の図８、図９の２（本体側吸盤）を図４の６ａ（本体（大）裏側）の面に吸着し、図８、図９の５（他端側吸盤）を机等の表面に吸着し、傾斜を付けて見やすいようにして使用している所を表側から見た図。
【符号の説明】
【００１７】
１  本体（小）
１ａ  本体（小）裏側
２  本体側吸盤
２ａ  本体側吸盤はめ込み部
３  後部接続棒
３ａ  後部接続棒自在球状接続部
４  前部接続棒
４ａ  前部接続棒自在球状接続部
５  他端側吸盤
５ａ  他端側吸盤はめ込み部
６  本体（大）
６ａ  本体裏面
【図１】
0003174828.tif 000003
【図２】
0003174828.tif 000004
【図３】
0003174828.tif 000005
【図４】
0003174828.tif 000006
【図５】
0003174828.tif 000007
【図６】
0003174828.tif 000008
【図７】
0003174828.tif 000009
【図８】
0003174828.tif 000010
【図９】
0003174828.tif 000011
(57)【要約】【課題】栽培容器に瓶を用いたきのこ菌床栽培において、栽培期間のうち、特に培養期間、熟成期間を大幅に短縮し、生産性を高めることができる栽培瓶を得る。【解決手段】瓶底から瓶口までの高さを１３０ｍｍ以下にすることで、従来の栽培瓶よりも充填する培地の量を減量することができ、減量した培地の量に比例して、培養期間、熟成期間を短縮することができる栽培瓶である。本考案の栽培瓶で、瓶胴部の外径や瓶口の口径等を従来の栽培瓶と同寸法にし、瓶底から瓶口までの高さだけを１３０ｍｍ以下にすると、従来の栽培瓶で使用している機械や設備の変更を最小限に抑えることができる。【選択図】図２
0003174848.tif 000002
【実用新案登録請求の範囲】
【請求項１】
きのこを菌床で栽培する際の、培地を充填する栽培容器として用いる瓶において、瓶底から瓶口までの高さを従来の瓶よりも低い１３０ｍｍ以下にして、充填する培地の量を従来よりも減量し、培養期間、熟成期間を短縮することができる栽培瓶。
【考案の詳細な説明】
【技術分野】
【０００１】本案は、きのこの菌床栽培で用いられる栽培瓶に関する。
【背景技術】
【０００２】従来より、栽培容器として樹脂製の瓶を用い、これに培地を充填してきのこを栽培する菌床栽培が盛んに行われている。
この栽培瓶は、一般に外径が８０ｍｍ〜１００ｍｍ程度、瓶底から瓶口までの高さが１６０ｍｍ〜１８０ｍｍ程度で、容積が８００ｃｃ〜１０００ｃｃ程度のほぼ円筒状をしている。【０００３】上記の栽培瓶に、おが屑等の培地素材に米ぬか等の栄養素を添加して充填し、殺菌処理を施したうえで種菌を接種する。その後、培地に菌糸が蔓延し熟成するまで培養室で、きのこの品種によって異なるが、２０日間から１２０日間培養している。
【考案の開示】
【考案が解決しようとする課題】
【０００４】しかしながら、上記の培養期間、熟成期間が、培養から発生、収穫までの栽培期間の半分以上の日数を占めており、きのこ菌床栽培の生産性の向上を図るうえで障害となっている。【０００５】本考案は、栽培期間、特に培養期間、熟成期間を大幅に短縮して、きのこ菌床栽培の生産性を高めることができる栽培瓶を提供するものである。
【課題を解決するための手段】
【０００６】前述の目的を達成するために、本考案のきのこ栽培瓶は、従来の栽培瓶と瓶胴部の外径や瓶口の口径等を同寸法に、瓶底から瓶口までの高さだけを１３０ｍｍ以下にすることで、栽培瓶の容積を小さくすることができ、充填する培地の量を減量することができる。【０００７】本考案の栽培瓶の外径等を、従来の栽培瓶と同一にすることで、従来の機械や設備の変更を最小限に抑えることができる。
【考案の効果】
【０００８】本考案の栽培瓶により、充填する培地の量を減量することで生産コストを抑えることができる。【０００９】本考案の栽培瓶により、培地の容積が小さくなり、培地に菌糸が蔓延する培養期間、熟成期間が大幅に短縮することができる。
【考案を実施するための形態】
【００１０】図１は、従来より菌床栽培で一般に用いられている栽培瓶の側面図で、瓶底３から瓶口２までの高さＡが１６０ｍｍ〜１８０ｍｍ程度、栽培瓶の瓶胴部１の外径Ｂが８０ｍｍ〜１００ｍｍ程度に成形されて、容積はほぼ８００ｃｃ〜１０００ｃｃになっている。
【００１１】図２は、本考案の栽培瓶の側面図で、瓶胴部１’の外径Ｂ’を図１の従来より一般に用いられている栽培瓶の瓶胴部１の外径Ｂと同寸法にし、瓶底３’から瓶口２’までの高さＡ’を１３０ｍｍ以下に成形することで、容積が小さくなり、充填する培地の量が、従来の栽培瓶を使用したときと比較して２割以上培地の量を減量することができる。
【００１２】本考案の栽培瓶を使用することで、減量した培地の量に比例して、培養期間、熟成期間を短縮することができる。それによって、栽培周期を短縮し、生産性を高めることができる。
【図面の簡単な説明】
【００１３】
【図１】従来の栽培瓶側面図
【図２】本考案の栽培瓶側面図
【符号の説明】
【００１４】１    従来の栽培瓶の瓶胴
２    従来の栽培瓶の瓶口
３    従来の栽培瓶の瓶底
１’  本考案の栽培瓶の瓶胴
２’  本考案の栽培瓶の瓶口
３’  本考案の栽培瓶の瓶底
Ａ    従来の栽培瓶の瓶底から瓶口までの高さ
Ａ’  本考案の栽培瓶の瓶底から瓶口までの高さ
Ｂ    従来の栽培瓶の瓶胴部の外径
Ｂ’  本考案の栽培瓶の瓶胴部の外径
【図１】
0003174848.tif 000003
【図２】
0003174848.tif 000004